(57)【要約】【課題】  複数のゴミ箱を上下左右に配設して嵩張らないゴミ箱システムを提供する。【解決手段】  ゴミ箱１２と、このゴミ箱１２を少なくとも上下に複数段に重ねて支持するゴミ箱支持手段２４とを備えて構成されている。ゴミ箱支持手段２４は、ゴミ箱１２の胴体部１５の下側を支持して、ゴミ箱１２を恒常的に斜めの状態で着脱自在に支持する下側支持部材２５を備えた。ゴミ箱１２は、ゴミを収納する胴体部１５と、この胴体部１５の開口を塞ぐ開閉蓋１６とを備え、開閉蓋１６はその下部にヒンジを備えて手前下方へほぼ水平状態まで開くようにした。ゴミ箱支持手段２４は、テーパ状のゴミ箱１２の胴体部１５の途中の寸法と同じ寸法の幅に設定された四角形枠体で構成してもよい。また、ゴミ箱支持手段２４は、ゴミ箱１２を挟むように左右に配設されテーパ状のゴミ箱１２の胴体部１５の途中の寸法と同じ間隔に設定された２つのガイドフレーム３１を備えてもよい。【選択図】    図１
2005239400.tif 000002
【特許請求の範囲】
【請求項１】
ゴミ箱と、このゴミ箱を少なくとも上下に複数段に重ねて支持するゴミ箱支持手段とを備えたゴミ箱システムであって、
上記ゴミ箱支持手段が、上記ゴミ箱を、恒常的に斜めの状態で着脱自在に支持することを特徴とするゴミ箱システム。
【請求項２】
請求項１に記載のゴミ箱システムにおいて、
上記ゴミ箱が、ゴミを収納する胴体部と、この胴体部の開口を塞ぐ開閉蓋とを備え、当該開閉蓋がその下部にヒンジを備えて手前下方へほぼ水平状態まで開くことを特徴とするゴミ箱システム。
【請求項３】
請求項１又は２に記載のゴミ箱システムにおいて、
上記ゴミ箱の胴体部が底部へ向けて細くなるテーパ状に形成され、
上記ゴミ箱支持手段が、上記テーパ状のゴミ箱の胴体部の途中の寸法と同じ寸法の幅に設定された四角形枠体で構成されたことを特徴とするゴミ箱システム。
【請求項４】
請求項１又は２に記載のゴミ箱システムにおいて、
上記ゴミ箱の胴体部が底部へ向けて細くなるテーパ状に形成され、
上記ゴミ箱支持手段が、上記ゴミ箱を挟むように左右に配設され上記テーパ状のゴミ箱の胴体部の途中の寸法と同じ間隔に設定された２つのガイドフレームを備えたことを特徴とするゴミ箱システム。
【請求項５】
請求項１又は２に記載のゴミ箱システムにおいて、
上記ゴミ箱支持手段が、四角形枠体と、当該四角形枠体にその前後方向に掛け渡して設けられ上記ゴミ箱の胴体部の下側を当該ゴミ箱を斜めにした状態で支持する下側支持部材とを備えて構成されたことを特徴とするゴミ箱システム。
【請求項６】
請求項１又は２に記載のゴミ箱システムにおいて、
上記ゴミ箱支持手段が、横に掛け渡して設けられた２本の横フレームと、当該２本の横フレームの間に斜めに挿入された状態のゴミ箱の開口部周縁に設けられ上記横フレームに係止するフランジ部とを備えて構成されたことを特徴とするゴミ箱システム。
【請求項７】
請求項１又は２に記載のゴミ箱システムにおいて、
上記ゴミ箱支持手段が、上記斜め状態のゴミ箱の胴体部の側壁と底面壁とをそれぞれ支持する２本又は３本の横フレームによって構成されたことを特徴とするゴミ箱システム。
【請求項８】
請求項１乃至７のいずれか１項に記載のゴミ箱システムにおいて、
上記ゴミ箱支持手段が、４本の支柱を支持する枠体を備えて構成されたことを特徴とするゴミ箱システム。
【請求項９】
請求項８に記載のゴミ箱システムにおいて、
上記ゴミ箱支持手段を上記４本の支柱に、上記ゴミ箱の大きさに合わせた任意の高さで固定する固定手段を備えたことを特徴とするゴミ箱システム。
【請求項１０】
ゴミ箱と、３本以上配設された支柱と、当該支柱に取り付けられて上記ゴミ箱を着脱自在に支持するゴミ箱支持手段とを備え、
上記ゴミ箱支持手段が上記支柱に、上下又は左右の一方又は両方に１又は複数取り付けられて、必要な大きさのゴミ箱を必要な数だけ上下左右に配置して構成されたことを特徴とするゴミ箱システム。
【発明の詳細な説明】
【技術分野】
【０００１】
この発明は、複数個のゴミ箱を同時に使用できるように支持したゴミ箱システムに関するものである。
【背景技術】
【０００２】
複数個のゴミ箱を同時に使用できるように支持したものとしては、特許文献１に記載の縦型多段式収納装置が知られている。この縦型多段式収納装置１は、図２に示すように主に、枠体２と、収納容器３とから構成されている。枠体２は、下フレーム４と、これに支持された支柱５とから構成されている。収納容器３は縦に３つ設けられている。各収納容器３は、支柱５に回動可能に支持されている。さらに、各収納容器３は、斜めに配設された状態で、係止ピン６，７によって僅かに回動できるようになっている。各収納容器３内には、専用の内箱（図示せず）が設けられ、この内箱内に新聞等の紙ゴミを収納し、いっぱいになったら、内箱を取り出して、その中の紙ゴミを捨てる。
【特許文献１】実用新案登録第２５１３９４４号公報
【発明の開示】
【発明が解決しようとする課題】
【０００３】
しかしながら、上記構成の縦型多段式収納装置では、収納容器３に内箱を挿入しているため、投入口が小さく、大きなゴミを投入することができない。
【０００４】
収納容器３は枠体２に固定されているため、収納容器３ごとゴミを運び出すことができない。この場合、専用の内箱があるため、その内箱を運び出せばよいが、ゴミの種類によっては内箱で対応できないものもある。
【０００５】
本発明は、上述の点に鑑みてなされたもので、複数のゴミ箱を嵩張らずに設置することができると共に貯まったゴミの処理を容易にできるゴミ箱システムを提供することを目的とする。
【課題を解決するための手段】
【０００６】
前述した課題を解決するために第１の発明に係るゴミ箱システムは、ゴミ箱と、このゴミ箱を少なくとも上下に複数段に重ねて支持するゴミ箱支持手段とを備えたゴミ箱システムであって、上記ゴミ箱支持手段が、上記ゴミ箱を、恒常的に斜めの状態で着脱自在に支持することを特徴とする。
【０００７】
上記構成により、ゴミ箱支持手段によってゴミ箱を斜めの状態で上下に複数段に重ねるため、上下左右に嵩張らずに複数のゴミ箱を配置することができる。ゴミを捨てる場合は、ゴミ箱を取り出して所定の場所まで運んで捨てる。
【０００８】
第２の発明に係るゴミ箱システムは、第１の発明に係るゴミ箱システムにおいて、上記ゴミ箱が、ゴミを収納する胴体部と、この胴体部の開口を塞ぐ開閉蓋とを備え、当該開閉蓋がその下部にヒンジを備えて手前下方へほぼ水平状態まで開くことを特徴とする。
【０００９】
上記構成により、ゴミをゴミ箱に捨てるときは、開閉蓋をほぼ水平状態になるまで開いて投入する。
【００１０】
第３の発明に係るゴミ箱システムは、第１又は第２の発明に係るゴミ箱システムにおいて、上記ゴミ箱の胴体部が底部へ向けて細くなるテーパ状に形成され、上記ゴミ箱支持手段が、上記テーパ状のゴミ箱の胴体部の途中の寸法と同じ寸法の幅に設定された四角形枠体で構成されたことを特徴とする。
【００１１】
上記構成により、ゴミ箱支持手段にゴミ箱を挿入すると、ゴミ箱の胴体部がゴミ箱支持手段内にその途中まではまり込んで、斜めの状態で支持される。
【００１２】
第４の発明に係るゴミ箱システムは、第１又は第２の発明に係るゴミ箱システムにおいて、上記ゴミ箱の胴体部が底部へ向けて細くなるテーパ状に形成され、上記ゴミ箱支持手段が、上記ゴミ箱を挟むように左右に配設され上記テーパ状のゴミ箱の胴体部の途中の寸法と同じ間隔に設定された２つのガイドフレームを備えたことを特徴とする。
【００１３】
上記構成により、ゴミ箱支持手段にゴミ箱を挿入すると、ゴミ箱の胴体部がゴミ箱支持手段である２つのガイドフレームの間にその途中まではまり込んで、斜めの状態で支持される。
【００１４】
第５の発明に係るゴミ箱システムは、第１又は第２の発明に係るゴミ箱システムにおいて、上記ゴミ箱支持手段が、四角形枠体と、当該四角形枠体にその前後方向に掛け渡して設けられ上記ゴミ箱の胴体部の下側を当該ゴミ箱を斜めにした状態で支持する下側支持部材とを備えて構成されたことを特徴とする。
【００１５】
上記構成により、ゴミ箱支持手段にゴミ箱を挿入すると、ゴミ箱は下側支持部材でその胴体部の下側を斜めの状態で支持する。
【００１６】
第６の発明に係るゴミ箱システムは、第１又は第２の発明に係るゴミ箱システムにおいて、上記ゴミ箱支持手段が、横に掛け渡して設けられた２本の横フレームと、当該２本の横フレームの間に斜めに挿入された状態のゴミ箱の開口部周縁に設けられ上記横フレームに係止するフランジ部とを備えて構成されたことを特徴とする。
【００１７】
上記構成により、ゴミ箱を２本の横フレームの間に挿入すると、ゴミ箱の主に上側のフランジ部が横フレームに係止して、斜めの状態で支持される。
【００１８】
第７の発明に係るゴミ箱システムは、第１又は第２の発明に係るゴミ箱システムにおいて、上記ゴミ箱支持手段が、上記斜め状態のゴミ箱の胴体部の側壁と底面壁とをそれぞれ支持する２本又は３本の横フレームによって構成されたことを特徴とする。
【００１９】
上記構成により、ゴミ箱支持手段にゴミ箱を設置すると、ゴミ箱の胴体部の側壁と底面壁とが２本又は３本の横フレームでそれぞれ支持されて、ゴミ箱が斜めの状態で支持される。
【００２０】
第８の発明に係るゴミ箱システムは、第１乃至第７の発明のいずれかに係るゴミ箱システムにおいて、上記ゴミ箱支持手段が、４本の支柱を支持する枠体を備えて構成されたことを特徴とする。
【００２１】
上記構成により、ゴミ箱支持手段の枠体で支持された４本の支柱の間にゴミ箱を挿入して設置する。
【００２２】
第９の発明に係るゴミ箱システムは、第８の発明に係るゴミ箱システムにおいて、上記ゴミ箱支持手段を上記４本の支柱に、上記ゴミ箱の大きさに合わせた任意の高さで固定する固定手段を備えたことを特徴とする。
【００２３】
上記構成により、固定手段でゴミ箱支持手段をゴミ箱の大きさに合わせた高さで固定するため、複数のゴミ箱をほとんど隙間なく積み重ねることができる。
【００２４】
第１０の発明に係るゴミ箱システムは、ゴミ箱と、３本以上配設された支柱と、当該支柱に取り付けられて上記ゴミ箱を着脱自在に支持するゴミ箱支持手段とを備え、ゴミ箱支持手段が上記支柱に、上下又は左右の一方又は両方に１又は複数取り付けられて、必要な大きさのゴミ箱を必要な数だけ上下左右に配置して構成されたことを特徴とする。
【００２５】
上記構成により、３本以上配設された支柱にゴミ箱支持手段を上下又は左右に１又は複数取り付け、このゴミ箱支持手段にゴミ箱を着脱自在に配置することで、分別ゴミ等に対応して必要な大きさのゴミ箱を必要な数だけ上下左右に配置してゴミ箱システムを構成する。
【発明の効果】
【００２６】
以上、詳細に説明したように本発明によれば、次のような効果を奏することができる。
【００２７】
ゴミ箱を上下左右に最適な状態で配置するため、分別ゴミ等に対応する個数のゴミ箱を嵩張らずに配置することができるようになり、スペースを有効に活用することができる。
【発明を実施するための最良の形態】
【００２８】
以下、本発明の実施形態に係るゴミ箱システムについて図面を参照しながら説明する。図１は本実施形態に係るゴミ箱システムを示す斜視図、図３は図１のゴミ箱システムをそのゴミ箱を取り外した状態で示す斜視図、図４は本実施形態に係るゴミ箱システムを示す側面図、図５は本実施形態に係るゴミ箱システムを示す部分側面図、図６は本実施形態に係るゴミ箱システムを示す部分正面図、図７は本実施形態に係るゴミ箱システムの上部を示す部分側面図、図８は本実施形態に係るゴミ箱システムの要部を示す部分側面図、図９は本実施形態に係るゴミ箱システムの固定手段の一部を示す側面図、図１０は本実施形態に係るゴミ箱システムの固定手段の一部を示す側面図及び正面図である。
【００２９】
ゴミ箱システム１１は、図１、図３及び図４に示すように主に、ゴミ箱１２と、このゴミ箱１２を上下に３段に重ねて支持する棚部１３とから構成されている。
【００３０】
ゴミ箱１２はゴミを収納するための容器である。このゴミ箱１２は、ゴミを収納する胴体部１５と、この胴体部１５の開口を塞ぐ開閉蓋１６とから構成されている。胴体部１５は、底部へ向けて細くなるテーパ状に形成されている。胴体部１５の開口部の周縁には、持ち運びのための取っ手となるフランジ部１５Ａが設けられている。
【００３１】
開閉蓋１６は、その下部にヒンジ（図示せず）を備えて回動可能に支持されている。さらにヒンジは開閉蓋１６がほぼ水平状態になったところで支持するようになっている。これにより、ゴミの投入のために開閉蓋１６を手前下方へ開くと、開閉蓋１６はほぼ水平状態まで開いたところで止まって、ゴミ投入の際に開閉蓋１６を手で持つ必要がなくなると共に、胴体部１５内のゴミが外部にこぼれないようになっている。
【００３２】
棚部１３は、４本の支柱１８と、４つの枠体１９と、キャスター２０とから構成されている。
【００３３】
支柱１８は、金属の棒材で構成され、各ゴミ箱１２に瓶等の重いゴミが入れられても十分に支えることができる強度に設定されている。各支柱１８には環状溝１８Ａが設けられている。この環状溝１８Ａは、上下方向に一定間隔毎に又は任意の間隔をおいて多数形成されている。
【００３４】
枠体１９は４本の支柱１８を四角形の頂点位置で支持するための部材である。この枠体１９は、図１及び図３〜図８に示すように、フレーム部２１と、支持用筒部２２とから構成されている。フレーム部２１は、直線上の上下２本の金属線材と、これらの間に配設される波形の金属線材とから構成されている。このフレーム部２１は、長尺の縦フレーム２１Ａと、短尺の横フレーム２１Ｂとから構成されている。各縦フレーム２１Ａと横フレーム２１Ｂとの接続部分に支持用筒部２２が設けられている。支持用筒部２２はほぼ円筒状に形成されている。具体的には、裁頭円錐形の筒状に形成されている。これにより、支持用筒部２２の内径は、上部が小径になるようにテーパを持たせて形成されている。なお、支柱１８の上端に配設される枠体１９には、物を載置できるように網が設けられている。
【００３５】
キャスター２０は棚部１３を移動させるための部材である。キャスター２０は４本の支柱１８の下端部にそれぞれ取り付けられている。
【００３６】
上記棚部１３には、ゴミ箱１２を恒常的に斜めの状態で着脱自在に支持するためのゴミ箱支持手段２４が設けられている。このゴミ箱支持手段２４は、四角形枠体（１９）と、下側支持部材２５とから構成されている。上記四角形枠体としては上記枠体１９をそのまま用いる。下側支持部材２５は、ゴミ箱１２を支持するための部材である。この下側支持部材２５は、枠体１９にその前後方向に掛け渡して設けられて、ゴミ箱１２を斜めにした状態で、そのゴミ箱１２の胴体部１５の下側を支持するようになっている。下側支持部材２５は、くの字型に折り曲げて形成された２本の縦線材２５Ａと、この２本の縦線材２５Ａを平行にした状態で支持する３本の横線材２５Ｂとから構成されている。これら縦線材２５Ａ及び横線材２５Ｂは、金属線材で構成されている。縦線材２５Ａのくの字の形状の具体的な寸法は、ゴミ箱１２を傾けたい角度に合わせて設定される。縦線材２５Ａの両端部には、フック部２５Ｃが設けられている。このフック部２５Ｃは、図８に示すように、Ｕ字状に折り曲げて形成され、横フレーム２１Ｂの線材に引っかかるようになっている。
【００３７】
ゴミ箱支持手段２４は各支柱１８に固定手段２６で固定されている。この固定手段２６は、図９及び図１０に示すように、ゴミ箱支持手段２４をゴミ箱１２の大きさに合わせた高さで固定するための手段である。固定手段２６は、上記環状溝１８Ａと、上記支持用筒部２２と、支持用スリーブ２７から構成されている。支持用スリーブ２７は、二つ割りの円錐形筒状に形成されている。各支持用スリーブ２７には、互いに嵌り合う凹部と凸部が設けられている。この支持用スリーブ２７の内側には、上記環状溝１８Ａに嵌合する環状凸条２７Ａが設けられている。これにより、環状凸条２７Ａを環状溝１８Ａに嵌合した状態で二つ割りの支持用スリーブ２７が支柱１８を両側から挟むように取り付けて、その上から支持用筒部２２をはめることで、支持用スリーブ２７がくさびとして機能するよういなっている。
【００３８】
［動作］
以上のように構成されたゴミ箱システム１１は、次のようにして使用する。
【００３９】
まず、４本の支柱１８に枠体１９を固定手段２６で任意の高さに固定する。具体的には、枠体１９を支柱１８の上端部に１つと、その下側に一定間隔を空けて３つ固定手段２６で取り付ける。下側の３つの枠体１９は、図１に示すように、ゴミ箱１２を斜めにした状態での高さに合わせる。固定手段２６では、まず設定高さの位置で、支持用スリーブ２７の環状凸条２７Ａを支柱１８の環状溝１８Ａに嵌合して二つ割りの支持用スリーブ２７を支柱１８の両側から挟むように取り付ける。次いで、支柱１８に通した支持用筒部２２を支持用スリーブ２７の上からはめる。これにより、支持用スリーブ２７がくさびとして機能して、枠体１９が支柱１８の任意の高さで固定される。次いで、ゴミ箱支持手段２４の下側支持部材２５の両端のフック部２５Ｃを前後両側の横フレーム２１Ｂに引っかける。
【００４０】
次いで、ゴミ箱１２を前方から挿入して、その胴体部１５をゴミ箱支持手段２４に載置する。これにより、ゴミ箱１２が斜めの状態で上下３段に支持される。
【００４１】
この状態で、ゴミを投入するときは、開閉蓋１６を手前下方へ開いて水平状態にする。この状態で、開閉蓋１６から手を離して、ゴミをゴミ箱内に投入する。投入し終えたら、開閉蓋１６を閉める。
【００４２】
ゴミ箱１２がいっぱいになったら、ゴミ箱支持手段２４からゴミ箱１２を引き出して、廃棄等の処理をする。
【００４３】
［効果］
以上のように、ゴミ箱１２を斜めの状態で上下に３段に重ねて配置したので、ゴミを複数に分別する必要がある場合等においても、それぞれの分別ゴミ等に対応する個数のゴミ箱１２を嵩張らずに個別に配置することができるようになる。これにより、必要な大きさのゴミ箱１２を必要な数だけ縦横に配置したゴミ箱システムを構成することができるため、全体として嵩張らず、スペースを有効に活用することができる。
【００４４】
開閉蓋１６をほぼ水平状態になるまで開いて投入するため、斜めに配置されたゴミ箱１２内のゴミが外部にこぼれ落ちることがなくなる。
【００４５】
ゴミ箱１２をゴミ箱支持手段２４の下側支持部材２５でその胴体部１５の下側を斜めの状態で支持するため、分別ゴミ等に対応する個数のゴミ箱を上下方向に嵩張らずに個別に配置することができるようになる。
【００４６】
固定手段２６でゴミ箱支持手段２４をゴミ箱１２の大きさに合わせた高さで固定して複数のゴミ箱１２をそれらの間の隙間を縮めて積み重ねることができるため、分別ゴミ等に対応する個数のゴミ箱を上下に嵩張らずに個別に配置することができるようになる。
【００４７】
［変形例］
（１）  上記実施形態では、ゴミ箱支持手段２４をゴミ箱１２が上下に３段に重ねて支持されるように構成したが、２段又は４段以上でもよい。必要とされるゴミ箱１２の数に合わせて構成する。
【００４８】
また、上記実施形態では、ゴミ箱１２を上下に３段に重ねて支持する構成としたが、横に複数個並べるように構成してもよい。この場合は、横フレーム２１Ｂを長くして、ゴミ箱支持手段２４を複数個並列に並べて取り付ける。また、支柱１８を横に３本以上並べて配設し、各支柱にゴミ箱支持手段２４を取り付けるようにしても良い。また、他の手段で、ゴミ箱支持手段２４を上下左右に並べて配設してもよい。これにより、必要な大きさのゴミ箱を必要な数だけ縦横に配置したゴミ箱システムを構成することができ、上記実施形態同様の作用、効果を奏することができる。
【００４９】
さらに、必要に応じてゴミ箱１２を１個だけ配設する場合もある。この場合、支柱１８の長さをゴミ箱１２の高さに合わせて成形する。
【００５０】
（２）  上記実施形態では、支柱１８を４本設けたが、３本以上であれば安定するため、必要に応じて３本又は５本以上配設してもよい。この場合も、上記実施形態同様の作用、効果を奏することができる。
【００５１】
（３）  上記実施形態では、ゴミ箱１２を斜めに配設したが、必要に応じて垂直に配設するようにしてもよい。この場合も、ゴミ箱１２を上下左右に配設することができ、上記実施形態同様の作用、効果を奏することができる。
【００５２】
（４）  上記実施形態では、ゴミ箱支持手段２４を、金属線材からなる下側支持部材２５を用いて構成したが、枠体１９等の四角形枠体だけで構成してもよい。即ち、ゴミ箱支持手段２４を、テーパ状のゴミ箱１２の胴体部１５の途中の寸法と同じ寸法の幅に設定された四角形枠体（枠体１９）で構成してもよい。この場合も、四角形枠体でゴミ箱１２を支持することができ、上記実施形態同様の作用、効果を奏することができる。
【００５３】
（５）  上記実施形態では、ゴミ箱支持手段２４を、金属線材からなる下側支持部材２５を用いて構成したが、ガイドフレームで構成してもよい。具体的には、図１１に示すように、枠体１９の縦フレーム２１Ａの奥側であって、その両側にガイドフレーム３１を設けてもよい。この２つのガイドフレーム３１は、ゴミ箱１２を左右から挟むように配設されて、テーパ状の胴体部１５の途中の寸法と同じ間隔に設定される。これにより、２つのガイドフレーム３１で、ゴミ箱１２の胴体部１５を挟んで支持する。この場合も、上記実施形態同様の作用、効果を奏することができる。
【００５４】
（６）  上記実施形態では、ゴミ箱支持手段２４を、金属線材からなる下側支持部材２５を用いて構成したが、前側の２本の支柱１８に掛け渡して取り付けられる２本の横フレームだけで構成してもよい。具体的には、図１２に示すように、ゴミ箱１２の胴体部１５を上下から挟むように、２本の横フレーム３２を一定間隔を空けて配設する。この２本の横フレーム３２の間隔は、ゴミ箱１２の傾斜角度に応じて設定する。これにより、設定角度だけ傾いたゴミ箱１２の胴体部１５を上下から挟んで支持する。なお、２本の横フレーム３２は、胴体部１５を上下から挟んで支持してもよく、胴体部１５のフランジ部１５Ａに係止してゴミ箱１２を支持するようにしてもよい。この場合も、上記実施形態同様の作用、効果を奏することができる。
【００５５】
（７）  上記実施形態では、ゴミ箱支持手段２４を、金属線材からなる下側支持部材２５を用いて構成したが、斜め状態のゴミ箱１２の胴体部１５の側壁と底面壁とをそれぞれ支持する２本又は３本の横フレームによって構成してもよい。具体的には、図１３及び図１４に示すように横フレーム３３を配設する。図１３中の棚部３４は、３本の横フレーム３３と、４本の支柱３５と、３つの棚板３６と、１つの支持枠体３７と、キャスター３８とから構成されている。棚板３６は金属線材を網状に組んで構成されている。この棚板３６は物を載せるための部材である。支持枠体３７は、コの字状に形成され、４本の支柱３５と設定間隔位置で支持している。なお、各棚板３６及び支持枠体３７の横幅は、図示するように、２ないし３個のゴミ箱１２を支持できる幅にしてもよく、１個のゴミ箱１２の幅または４個以上のゴミ箱１２の幅にしてもよい。
【００５６】
３本の横フレーム３３は、図１４に示すように、ゴミ箱１２の胴体部１５の側壁部分を２カ所で支持し、底面壁部分を１カ所で支持する位置に配設されている。これにより、ゴミ箱１２が斜めの状態で支持されて、複数のゴミ箱１２を嵩張らずに個別に配置することができ、上記実施形態同様の作用、効果を奏することができる。
【００５７】
なお、横フレーム３３は、胴体部１５の側壁部分を１カ所で支持し、底面壁部分を１カ所で支持するように、２本配設してもよい。この場合も、上記実施形態同様の作用、効果を奏することができる。
【図面の簡単な説明】
【００５８】
【図１】本発明の実施形態に係るゴミ箱システムを示す斜視図である。
【図２】従来のゴミ箱システムの例を示す斜視図である。
【図３】本発明の実施形態に係るゴミ箱システムの棚部を示す斜視図である。
【図４】本発明の実施形態に係るゴミ箱システムを示す側面図である。
【図５】本発明の実施形態に係るゴミ箱システムを示す部分側面図である。
【図６】本発明の実施形態に係るゴミ箱システムを示す部分正面図である。
【図７】本発明の実施形態に係るゴミ箱システムの上部を示す部分側面図である。
【図８】本発明の実施形態に係るゴミ箱システムの要部を示す部分側面図である。
【図９】本発明の実施形態に係るゴミ箱システムの固定手段の一部を示す側面図である。
【図１０】本発明の実施形態に係るゴミ箱システムの固定手段の一部を示す側面図及び正面図である。
【図１１】本発明の第１変形例に係るゴミ箱システムの枠体を示す平面図である。
【図１２】本発明の第２変形例に係るゴミ箱システムの横フレーム及びゴミ箱を示す側面図である。
【図１３】本発明の第３変形例に係るゴミ箱システムを示す斜視図である。
【図１４】本発明の第３変形例に係るゴミ箱システムの横フレーム及びゴミ箱を示す側面図である。
【符号の説明】
【００５９】
１１：ゴミ箱システム、１２：ゴミ箱、１３：棚部、１５：胴体部、１５Ａ：フランジ部、１６：開閉蓋、１８：支柱、１８Ａ：環状溝、１９：枠体、２０：キャスター、２１：フレーム部、２１Ａ：縦フレーム、２１Ｂ：横フレーム、２２：支持用筒部、２４：ゴミ箱支持手段、２５：下側支持部材、２５Ａ：縦線材、２５Ｂ：横線材、２５Ｃ：フック部、２６：固定手段、２７：支持用スリーブ、２７Ａ：環状凸条。
【図１】
2005239400.tif 000003
【図２】
2005239400.tif 000004
【図３】
2005239400.tif 000005
【図４】
2005239400.tif 000006
【図５】
2005239400.tif 000007
【図６】
2005239400.tif 000008
【図７】
2005239400.tif 000009
【図８】
2005239400.tif 000010
【図９】
2005239400.tif 000011
【図１０】
2005239400.tif 000012
【図１１】
2005239400.tif 000013
【図１２】
2005239400.tif 000014
【図１３】
2005239400.tif 000015
【図１４】
2005239400.tif 000016